(57)【要約】      （修正有）【課題】包装材により包装された物品に糸を巻き付ける場合において、物品の美観の向上を図れる糸巻き付け装置を提供する。【解決手段】糸巻き付け装置１は、物品を支持する支持部７と、包装材の広がりを抑制する抑制部９Ａ，９Ｂと、支持部７に支持される物品の姿勢を保持する保持部１１と、物品に糸を巻き付ける糸巻き部５と、を備え、糸巻き部５は、物品に糸を巻き付ける位置において、物品と糸との間に抑制部９Ａ，９Ｂの少なくとも一部を介在させて物品に糸を巻き付け、抑制部９Ａ，９Ｂは、物品に糸が巻き付けられた後、物品と糸との間から引き抜かれる方向に移動する。【選択図】図１
0003210696.tif 000002
【実用新案登録請求の範囲】
【請求項１】
包装材により包装された物品に糸を巻き付ける糸巻き付け装置であって、
前記物品を支持する支持部と、
前記包装材の広がりを抑制する抑制部と、
前記支持部に支持される前記物品の姿勢を保持する保持部と、
前記物品に前記糸を巻き付ける糸巻き部と、を備え、
前記糸巻き部は、前記物品に前記糸を巻き付ける位置において、前記物品と前記糸との間に前記抑制部の少なくとも一部を介在させて前記物品に前記糸を巻き付け、
前記抑制部は、前記物品に前記糸が巻き付けられた後、前記物品と前記糸との間から引き抜かれる方向に移動する、糸巻き付け装置。
【請求項２】
前記保持部は、前記物品に前記糸が巻き付けられた後、前記抑制部が引き抜かれる方向とは反対側の方向に移動し、前記物品を押し出す、請求項１に記載の糸巻き付け装置。
【請求項３】
前記抑制部は、２つの円柱部材で構成される、請求項１又は２に記載の糸巻き付け装置。
【請求項４】
前記保持部は、略鉛直方向上側から前記物品を押さえ付ける、請求項１〜３のいずれか一項に記載の糸巻き付け装置。
【請求項５】
前記物品は、略三角形状を呈しており、
前記抑制部は、前記物品における一の頂点を共有する２つの辺に位置する前記包装材の広がりを抑制する、請求項１〜４のいずれか一項に記載の糸巻き付け装置。
【請求項６】
前記抑制部は、前記一の頂点から遠ざかる方向において、前記物品と前記糸との間から引き抜かれる、請求項５に記載の糸巻き付け装置。
【考案の詳細な説明】
【技術分野】
【０００１】
本考案は、糸巻き付け装置に関する。
【背景技術】
【０００２】
従来の糸巻き付け装置として、例えば、特許文献１に記載されたものが知られている。特許文献１に記載の糸巻き付け装置は、モータで回転される回転軸に固定された回転体と、回転端に環状に配置されて着脱自在に装着された複数のロッドと、を備える。糸巻き付け装置では、ロッドにより形成された空間に物品が挿入され、回転体が回転しながら物品の外周面に糸がらせん状に巻き付けられる。
【先行技術文献】
【特許文献】
【０００３】
【特許文献１】実用新案登録第３０８８６１１号公報
【考案の概要】
【考案が解決しようとする課題】
【０００４】
糸を巻き付ける対象となる物品として、包装材で包装されるものがある。包装材は、糸を巻き付けるときに広がり得る。したがって、包装材によって包装される物品に対して、糸をきれいに巻き付けることは容易ではない。また、一般的に、物品に糸を巻き付けるときには、物品から糸が外れることを防止するために、糸と物品との間に隙間が生じないように、糸にテンションを与えて巻き付ける。しかしながら、物品のなかには、糸が巻き付けられた後に加熱処理等が施されることで、物品の中身が膨張するものがある。この場合、従来のように糸を物品に巻き付けると、膨張した物品に糸が食い込み、物品の美観が損なわれる。
【０００５】
本考案の一側面は、包装材により包装された物品に糸を巻き付ける場合において、物品の美観の向上を図れる糸巻き付け装置の提供を目的とする。
【課題を解決するための手段】
【０００６】
本考案の一側面に係る糸巻き付け装置は、包装材により包装された物品に糸を巻き付ける糸巻き付け装置であって、物品を支持する支持部と、包装材の広がりを抑制する抑制部と、支持部に支持される物品の姿勢を保持する保持部と、物品に前記糸を巻き付ける糸巻き部と、を備え、糸巻き部は、抑制部及び物品を含む位置において、物品と糸との間に抑制部が位置するように物品に糸を巻き付け、抑制部は、物品に糸が巻き付けられた後、物品と糸との間から引き抜かれる方向に移動する。
【０００７】
本考案の一側面に係る糸巻き付け装置は、包装材の広がりを抑制する抑制部を備える。これにより、包装材によって包装される物品に糸を巻き付ける場合であっても、包装材の広がりを抑制できる。また、保持部によって物品の姿勢が保持されるため、物品の所定の位置に確実に糸を巻き付けることができる。そのため、糸巻き付け装置では、物品に対して糸をきれいに巻き付けることができる。また、糸巻き付け装置では、抑制部及び物品を含む位置において、物品と糸との間に抑制部が位置するように物品に糸を巻き付け、物品に糸を巻き付けた後で物品と糸との間から抑制部を引き抜く。これにより、抑制部が物品と糸との間に入り込んでいる分、物品と糸との間に隙間が生じる。すなわち、糸に所定の弛みを持たせることができる。これにより、物品が膨張した場合であっても、糸が物品に食い込むことを防止できる。したがって、糸巻き付け装置では、糸を巻き付けた物品の美観の向上を図れる。
【０００８】
一実施形態においては、保持部は、物品に糸が巻き付けられた後、抑制部が引き抜かれる方向とは反対側の方向に移動し、物品を押し出してもよい。この構成では、物品と糸との間から抑制部を確実に引き抜くことができる。また、支持部に支持される物品を押し出す方向に保持部が移動するため、支持部から物品を排出できる。したがって、支持部から物品を取り除く作業が省略できるため、作業効率の向上が図れる。
【０００９】
一実施形態においては、抑制部は、２つの円柱部材で構成されていてもよい。この構成では、包装材の広がりを２箇所で抑制するため、包装材の広がりを効果的に抑制できる。また、円柱部材とすることにより、物品及び抑制部を含んで糸が巻き付けられたときに、抑制部に接触する糸に破損が生じることを抑制できる。更に、抑制部を引き抜くときに、物品及び糸に破損が生じることを抑制できる。
【００１０】
一実施形態においては、保持部は、略鉛直方向上側から物品を押さえ付けてもよい。この構成では、物品の姿勢を良好に保持できるため、物品の所定の位置に、より一層確実に糸を巻き付けることができる。
【００１１】
一実施形態においては、物品は、略三角形状を呈しており、抑制部は、物品における一の頂点を共有する２つの辺に位置する包装材の広がりを抑制してもよい。略三角形状を呈する物品では、一の頂点を共有する２つの辺に位置する包装材が広がり易い。したがって、物品における一の頂点を共有する２つの辺に位置する包装材の広がりを抑制部で抑制することにより、略三角形状を呈する物品に対して、糸をきれいに巻き付けることができる。
【００１２】
一実施形態においては、抑制部は、一の頂点から遠ざかる方向において、物品と糸との間から引き抜かれてもよい。この構成では、略三角形状を呈する物品において、物品と糸との間から抑制部をスムーズに引き抜くことができる。
【考案の効果】
【００１３】
本考案の一側面によれば、包装材により包装された物品に糸を巻き付ける場合において、物品の美観の向上を図れる。
【図面の簡単な説明】
【００１４】
【図１】図１は、一実施形態に係る糸巻き付け装置を示す図である。
【図２】図２は、支持装置の側面図である。
【図３】図３は、糸巻き付け装置の構成を示すブロック図である。
【図４】図４は、巻き付け装置の回動部の動作を示す図である。
【図５】図５は、糸巻き付け装置の動作を説明するための図である。
【図６】図６は、糸巻き付け装置の動作を説明するための図である。
【図７】図７は、糸巻き付け装置の動作を説明するための図である。
【図８】図８は、糸巻き付け装置の動作を説明するための図である。
【考案を実施するための形態】
【００１５】
以下、添付図面を参照して、本考案の好適な実施形態について詳細に説明する。なお、図面の説明において同一又は相当要素には同一符号を付し、重複する説明は省略する。以下の説明においては、図１の「左右方向」を「前後方向」、図１の「上下方向」を「左右方向」とする。
【００１６】
図１に示されるように、糸巻き付け装置１は、支持装置３と、巻き付け装置（糸巻き部）５と、制御装置６（図３参照）と、を備える。糸巻き付け装置１は、図５に示されるように、包装材Ｐにより包装された物品Ａに糸Ｙを巻き付ける。本実施形態では、物品Ａは、粽（ちまき）である。物品Ａは、粽の材料となる餅米等が包装材Ｐである竹の皮で包装される。物品Ａは、加熱される（蒸される）前の粽である。物品Ａは、略三角形状を呈する。糸Ｙは、例えば、たこ糸である。
【００１７】
図１及び図２に示されるように、支持装置３は、糸Ｙが巻き付けられる物品Ａを支持する。支持装置３は、支持部７と、抑制部９Ａ，９Ｂと、保持部１１と、を備える。
【００１８】
支持部７は、物品Ａを支持する。支持部７は、物品Ａが載置される載置部７ａを有する。載置部７ａは、板部材である。載置部７ａは、三角形状を呈する。載置部７ａの一角は、平坦に切り欠かれる。載置部７ａの切り欠き部分には、突出部７ｂが設けられる。突出部７ｂは、帯状を呈する。突出部７ｂは、前方に延在する。突出部７ｂは、図５及び図６に示されるように、物品Ａを支持する位置に含まれる。
【００１９】
支持部７は、側部７ｃ，７ｄを有する。側部７ｃ及び側部７ｄは、支持部７の２つの辺に沿って設けられる。側部７ｃは、突出部７ｂが設けられた三角形の一角を形成し得る一辺に配置される。側部７ｃは、載置部７ａの縁において、載置部７ａに対して略直角に立設される。側部７ｃは、例えば、支持部７を構成する部材の一部を折り曲げることで、載置部７ａと一体に形成される。側部７ｃは、例えば、載置部７ａの後部から載置部７ａの中央部よりも前方の位置付近まで設けられる。
【００２０】
側部７ｄは、突出部７ｂが設けられた三角形の一角を形成し得る一辺に配置される。すなわち、側部７ｄは、側部７ｃが設けられる載置部７ａの一辺と向かい合う一辺（交差し得る一辺）に配置される。側部７ｄは、載置部７ａの縁において、載置部７ａに対して略直角に立設される。側部７ｃは、例えば、支持部７を構成する部材の一部を折り曲げることで、載置部７ａと一体に形成される。側部７ｄは、例えば、載置部７ａの後部から載置部７ａの中央部よりも前方の位置付近まで設けられる。
【００２１】
抑制部９Ａ，９Ｂは、物品Ａの包装材Ｐの広がりを抑制する。抑制部９Ａ，９Ｂは、物品Ａにおける一の頂点を共有する２つの辺に位置する包装材Ｐの広がりを抑制する。抑制部９Ａ及び抑制部９Ｂのそれぞれは、突出部７ｂが設けられた三角形の一角を形成し得る２つの辺に沿うように配置される。
【００２２】
抑制部９Ａは、抑制部材１３Ａと、ガイド部１５Ａと、ガイドレール１７Ａと、を含んで構成される。抑制部材１３Ａは、例えば、円柱部材である。抑制部材１３Ａの一端は、ガイド部１５Ａの前部に接続される。ガイド部１５Ａは、ガイドレール１７Ａに摺動自在に設けられる。ガイドレール１７Ａは、支持部７の側部７ｃに固定される。ガイドレール１７Ａは、側部７ｃの外面に、側部７ｃの延在方向に沿って配置される。ガイドレール１７Ａは、その延在方向が、載置部７ａと略平行に配置される。抑制部９Ａは、ガイド部１５Ａがガイドレール１７Ａに沿って摺動することにより移動する。
【００２３】
抑制部９Ｂは、抑制部材１３Ｂと、ガイド部１５Ｂと、ガイドレール１７Ａと、を含んで構成される。抑制部材１３Ｂは、例えば、円柱部材である。抑制部材１３Ｂの一端は、ガイド部１５Ｂの前部に接続される。ガイド部１５Ｂは、ガイドレール１７Ｂに摺動自在に設けられる。ガイドレール１７Ｂは、支持部７の側部７ｄに固定される。ガイドレール１７Ｂは、側部７ｄの外面に、側部７ｄの延在方向に沿って配置される。ガイドレール１７Ｂは、その延在方向が、載置部７ａと略平行に配置される。抑制部９Ｂは、ガイド部１５Ｂがガイドレール１７Ｂに沿って摺動することにより移動する。
【００２４】
抑制部９Ａ及び抑制部９Ｂは、第１駆動部２２により駆動される。具体的には、抑制部９Ａのガイド部１５Ａ及び抑制部９Ｂのガイド部１５Ｂには、移動部１９が接続される。ガイド部１５Ａ及びガイド部１５Ｂのそれぞれは、移動部１９に対して、摺動自在に接続される。具体的には、ガイド部１５Ａ及びガイド部１５Ｂのそれぞれは、移動部１９の延在方向に沿って摺動する。
【００２５】
移動部１９は、第１駆動部２２により駆動される。本実施形態では、第１駆動部２２は、シリンダである。第１駆動部２２は、固定部材２３により、支持部７に固定される。第１駆動部２２の動作は、制御装置６（図３参照）により制御される。移動部１９は、第１駆動部２２のロッド２０に接続される。これにより、移動部１９は、第１駆動部２２の駆動により、ロッド２０の延在方向（前後方向）に沿って移動する。ガイド部１５Ａ及びガイド部１５Ｂは、移動部１９の移動に応じて、ガイドレール１７Ａ及びガイドレール１７Ｂに沿って摺動する。具体的には、ガイド部１５Ａ及びガイド部１５Ｂは、移動部１９が前方（図１における左側）に移動すると、この移動に伴って前方に移動する。
【００２６】
ガイド部１５Ａ及びガイド部１５Ｂは、移動部１９が後方（図１における右側）に移動すると、この移動に伴って後方に移動する。すなわち、抑制部９Ａの抑制部材１３Ａ及び抑制部９Ｂの抑制部材１３Ｂは、第１駆動部２２の駆動による移動部１９の移動により、前後方向（図１における左右方向）に移動する。抑制部９Ａの抑制部材１３Ａ及び抑制部９Ｂの抑制部材１３Ｂは、互いに先端部が近づく（それぞれの先端部が突出部７ｂに近づく位置）第１位置（図５及び図６に示す位置）と、互いに先端部が遠ざかる（それぞれの先端部が突出部７ｂから遠ざかる位置）第２位置（図７及び図８に示す位置）と、に移動する。
【００２７】
保持部１１は、支持部７に支持される物品Ａの姿勢を保持する。保持部１１は、支持部７の載置部７ａ上に位置する。保持部１１は、支持部７の前方位置において、抑制部９Ａと抑制部９Ｂとの間に配置される。図２に示されるように、保持部１１は、本体部２４と、接続部２５と、押圧部２６と、を有する。本体部２４は、直方体状を呈する。接続部２５は、本体部２４の上部に配置される。接続部２５は、例えば、板部材であり、本体部２４よりも前方に突出する。なお、本体部２４と接続部２５とは、一体に形成されてもよい。
【００２８】
押圧部２６は、接続部２５の前部に配置される。押圧部２６は、円形の棒状部材である。押圧部２６は、左右方向に延在するように配置される。押圧部２６は、物品Ａを押さえ付ける。具体的には、押圧部２６は、物品Ａを略鉛直方向上側から押さえ付ける。すなわち、保持部１１は、略鉛直方向上側から物品Ａを押さえ付ける。
【００２９】
保持部１１は、第２駆動部３０により駆動される。本実施形態では、第２駆動部３０は、シリンダである。第２駆動部３０は、固定部材２３により、支持部７に固定される。第２駆動部３０の動作は、制御装置６（図３参照）により制御される。保持部１１は、第２駆動部３０のロッド２８に接続される。具体的には、ロッド２８は、本体部２４の後面に接続される。保持部１１は、第２駆動部３０の駆動により、前後方向に移動する。保持部１１は、物品Ａの姿勢を保持する第１位置（図５及び図６に示す位置）と、物品Ａを排出する第２位置（図８に示す位置）と、に移動する。
【００３０】
巻き付け装置５は、物品Ａに糸Ｙを巻き付ける。巻き付け装置５は、支持装置３と対向する位置に配置される。巻き付け装置５は、駆動部３２と、回動部３４と、締結部３６と、を有する。
【００３１】
駆動部３２は、回動部３４を駆動させる。駆動部３２は、回動部３４を回動させる駆動源３２ａ（図３参照）を有する。駆動源３２ａは、例えば、モータである。駆動源３２ａの動作は、制御装置６（図３参照）により制御される。なお、駆動部３２は、ギア等を介して、回動部３４を回動させてもよい。図４に示されるように、駆動部３２は、回動部３４が物品Ａの周囲を回動するように駆動せる。具体的には、駆動部３２は、前後方向から見て、回動部３４の軌道が円形となるように、回動部３４を駆動する。
【００３２】
回動部３４は、物品Ａに糸Ｙを巻き付ける。回動部３４は、長尺状の部材である。回動部３４の一端は、駆動部３２に接続される。回動部３４の他端には、糸保持部３４ａが設けられる。糸保持部３４ａは、糸Ｙを保持する。糸Ｙは、例えば、駆動部３２側から繰り出される。
【００３３】
締結部３６は、物品Ａに巻き付けられた糸Ｙを結ぶ。締結部３６は、回動部３４の糸保持部３４ａとの協働により、物品Ａに巻き付けた糸Ｙを結ぶ。回動部３４の糸保持部３４ａと締結部３６とにより糸Ｙを結ぶ方法は、公知の技術が採用され得る。
【００３４】
続いて、糸巻き付け装置１の動作について、図５〜図８を参照して説明する。
【００３５】
図５及び図６に示されるように、最初に、物品Ａを糸巻き付け装置１にセットする。物品Ａをセットするとき、糸巻き付け装置１では、抑制部９Ａの抑制部材１３Ａ及び抑制部９Ｂの抑制部材１３Ｂは、第１位置に位置する。また、保持部１１は、第１位置に位置する。作業者は、物品Ａが支持部７の前方部に支持されるように物品Ａをセットする。また、作業者は、図５に示されるように、抑制部９Ａの抑制部材１３Ａ及び抑制部９Ｂの抑制部材１３Ｂに上に、物品Ａにおける一の頂点を共有する２つの辺に位置する包装材Ｐが位置するように、物品Ａをセットする。
【００３６】
また、作業者は、保持部１１により物品Ａの姿勢が保持されるように、物品Ａをセットする。具体的には、図６に示されるように、保持部１１の押圧部２６により物品Ａが略鉛直方向上側から押圧される位置に物品Ａをセットする。このとき、物品Ａにおける一の頂点が上方を向くように、物品Ａをセットすることが好ましい。また、物品Ａが保持部１１の本体部２４に当接する位置に、物品Ａをセットすることが好ましい。なお、物品Ａをセットする場合、保持部１１が第１位置に位置していてもよいし、物品Ａを支持部７上に配置した後で、保持部１１が第１位置に位置してもよい。
【００３７】
物品Ａを支持装置３にセットした後、巻き付け装置５の動作を開始させる。具体的には、例えば、作業者は、糸巻き付け装置１の動作を開始させるボタン（図示省略）を押下する。制御装置６は、ボタンが押下されると、巻き付け装置５の駆動部３２の駆動源３２ａを作動させる。これにより、巻き付け装置５が動作を開始する。巻き付け装置５は、物品Ａの略中央部に糸Ｙを巻き付ける。巻き付け装置５は、回動部３４により物品Ａに糸Ｙを巻き付け、締結部３６により糸Ｙを結ぶ。このとき、巻き付け装置５は、抑制部９Ａの抑制部材１３Ａ及び抑制部９Ｂの抑制部材１３Ｂを少なくも一部を介在させて、物品Ａに糸Ｙを巻き付ける。これにより、抑制部９Ａの抑制部材１３Ａ及び抑制部９Ｂの抑制部材１３Ｂは、物品Ａと糸Ｙとの間に位置する。また、図６に示されるように、巻き付け装置５は、支持部７の突出部７ｂの一部を含んで、糸Ｙを物品Ａに巻き付ける。
【００３８】
巻き付け装置５によって物品Ａに糸Ｙが巻き付けられると、制御装置６は、第１駆動部２２を作動させる。具体的には、制御装置６は、第１駆動部２２のロッド２０を後方に移動させる。これにより、移動部１９が後方に移動し、これに伴って抑制部９Ａの抑制部材１３Ａ及び抑制部９Ｂの抑制部材１３Ｂが後方に移動し、図７に示されるように、抑制部材１３Ａ及び抑制部材１３Ｂが第２位置に位置する。その結果、抑制部９Ａの抑制部材１３Ａ及び抑制部９Ｂの抑制部材１３Ｂは、物品Ａと糸Ｙとの間から引き抜かれる。すなわち、抑制部材１３Ａ及び抑制部材１３Ｂは、物品Ａの一の頂点から遠ざかる方向に引き抜かれる。
【００３９】
続いて、制御装置６は、第２駆動部３０を作動させる。具体的には、制御装置６は、第２駆動部３０のロッド２８を前方に移動させる。これにより、保持部１１が前方に移動し、図８に示されるように、保持部１１が第２位置に位置する。すなわち、保持部１１は、抑制部９Ａの抑制部材１３Ａ及び抑制部９Ｂの抑制部材１３Ｂとは反対側の方向に移動する。これにより、保持部１１が支持部７上から物品Ａを排出する。なお、制御装置６が第１駆動部２２及び第２駆動部３０を作動させるタイミングは、同時であってもよい。すなわち、抑制部９Ａ及び抑制部９Ｂの移動と、保持部１１の移動とが同時に開始されてもよい。
【００４０】
続いて、制御装置６は、第１駆動部２２を作動させる。具体的には、具体的には、制御装置６は、第１駆動部２２のロッド２０を前方に移動させる。これにより、移動部１９が前方に移動し、これに伴って抑制部９Ａの抑制部材１３Ａ及び抑制部９Ｂの抑制部材１３Ｂが前方に移動し、図１に示されるように、抑制部材１３Ａ及び抑制部材１３Ｂが第１位置に位置する。また、制御装置６は、第２駆動部３０を作動させる。具体的には、制御装置６は、第２駆動部３０のロッド２８を後方に移動させる。これにより、保持部１１が前方に移動し、図１に示されるように、保持部１１が第１位置に位置する。
【００４１】
以上説明したように、本実施形態に係る糸巻き付け装置１では、包装材Ｐの広がりを抑制する抑制部９Ａ，９Ｂを備える。これにより、包装材Ｐによって包装される物品Ａに糸Ｙを巻き付ける場合であっても、包装材Ｐの広がりを抑制できる。また、保持部１１によって物品Ａの姿勢が保持されるため、物品Ａの所定の位置に確実に糸Ｙを巻き付けることができる。そのため、糸巻き付け装置１では、物品Ａに対して糸Ｙをきれいに巻き付けることができる。また、糸巻き付け装置１では、抑制部９Ａ，９Ｂ及び物品Ａを含む位置において、物品Ａと糸Ｙとの間に抑制部９Ａ，９Ｂが位置するように物品Ａに糸Ｙを巻き付け、物品Ａに糸Ｙを巻き付けた後で物品Ａと糸Ｙとの間から抑制部９Ａ，９Ｂを引き抜く。これにより、抑制部９Ａ，９Ｂが物品Ａと糸Ｙとの間に入り込んでいる分、物品Ａと糸Ｙとの間に隙間が生じる。すなわち、糸Ｙに所定の弛みを持たせることができる。これにより、物品Ａが膨張した場合であっても、糸Ｙが物品Ａに食い込むことを防止できる。したがって、糸巻き付け装置１では、糸Ｙを巻き付けた物品Ａの美観の向上を図れる。
【００４２】
本実施形態に係る糸巻き付け装置１では、保持部１１は、物品Ａに糸Ｙが巻き付けられた後、抑制部９Ａ，９Ｂが引き抜かれる方向とは反対側の方向に移動し、物品Ａを押し出す。この構成では、物品Ａと糸Ｙとの間から抑制部９Ａ，９Ｂを確実に引き抜くことができる。また、支持部７に支持される物品Ａを押し出す方向に保持部１１が移動するため、支持部７から物品Ａを排出できる。したがって、支持部７から物品Ａを取り除く作業が省略できるため、作業効率の向上が図れる。
【００４３】
本実施形態に係る糸巻き付け装置１では、抑制部９Ａ及び９Ｂのそれぞれは、円柱部材である抑制部材１３Ａ及び抑制部材１３Ｂを含んで構成される。この構成では、包装材Ｐの広がりを２箇所で抑制するため、包装材Ｐの広がりを効果的に抑制できる。また、円柱部材とすることにより、物品Ａ及び抑制部９Ａ，９Ｂを含んで糸Ｙが巻き付けられたときに、抑制部９Ａ，９Ｂに接触する糸Ｙに破損が生じることを抑制できる。更に、抑制部９Ａ，９Ｂを引き抜くときに、物品Ａ及び糸Ｙに破損が生じることを抑制できる。
【００４４】
本実施形態に係る糸巻き付け装置１では、保持部は、略鉛直方向上側から物品を押さえ付ける。この構成では、物品Ａの姿勢を良好に保持できるため、物品Ａの所定の位置に、より一層確実に糸Ｙを巻き付けることができる。
【００４５】
本実施形態に係る糸巻き付け装置１では、物品Ａは、略三角形状を呈する。抑制部９Ａ，９Ｂは、物品Ａにおける一の頂点を共有する２つの辺に位置する包装材Ｐの広がりを抑制する。略三角形状を呈する物品Ａでは、一の頂点を共有する２つの辺に位置する包装材Ｐが広がり易い。したがって、物品Ａにおける一の頂点を共有する２つの辺に位置する包装材Ｐの広がりを抑制部９Ａ，９Ｂで抑制することにより、略三角形状を呈する物品Ａに対して、糸Ｙをきれいに巻き付けることができる。
【００４６】
本実施形態に係る糸巻き付け装置１では、抑制部９Ａ，９Ｂは、一の頂点から遠ざかる方向において、物品Ａと糸Ｙとの間から引き抜かれる。この構成では、略三角形状を呈する物品Ａにおいて、物品Ａと糸Ｙとの間から抑制部９Ａ，９Ｂをスムーズに引き抜くことができる。
【００４７】
以上、本考案の実施形態について説明してきたが、本考案は必ずしも上述した実施形態に限定されるものではなく、その要旨を逸脱しない範囲で様々な変更が可能である。
【００４８】
上記実施形態では、抑制部９Ａ，９Ｂの抑制部材１３Ａ，１３Ｂが円柱部材である形態を一例に説明した。しかし、抑制部の抑制部材は、他の形状を呈していてもよい。
【００４９】
上記実施形態では、支持部７が三角形状を呈する形態を一例に説明した。しかし、支持部の形状はこれに限定されない。
【００５０】
上記実施形態では、物品Ａとして、粽を一例に説明した。しかし、物品は、包装材により包装された他のものであってもよい。また、糸巻き付け装置１は、包装材により包装されていない物品に糸を巻き付けることも可能である。
【００５１】
上記実施形態では、抑制部９Ａ，９Ｂは、抑制部材１３Ａ，１３Ｂが設けられたガイド部１５Ａ，１５Ｂがガイドレール１７Ａ，１７Ｂを摺動する形態を一例に説明した。しかし、抑制部９Ａ，９Ｂの抑制部材１３Ａ，１３Ｂは、他の機構により移動してもよい。
【００５２】
上記実施形態では、抑制部９Ａ，９Ｂが移動部１９を介して第１駆動部２２により駆動される形態を一例に説明した。しかし、抑制部９Ａ，９Ｂは、それぞれ個別に駆動されてもよい。
【００５３】
上記実施形態では、第１駆動部２２及び第２駆動部３０がシリンダである形態を一例に説明した。しかし、第１駆動部２２及び第２駆動部３０は、他の駆動機構であってもよい。
【符号の説明】
【００５４】
１…糸巻き付け装置、５…巻き付け装置（糸巻き部）、７…支持部、９Ａ，９Ｂ…抑制部、１１…保持部、Ａ…物品、Ｐ…包装材、Ｙ…糸。
【図１】
0003210696.tif 000003
【図２】
0003210696.tif 000004
【図３】
0003210696.tif 000005
【図４】
0003210696.tif 000006
【図５】
0003210696.tif 000007
【図６】
0003210696.tif 000008
【図７】
0003210696.tif 000009
【図８】
0003210696.tif 000010